(57)【要約】【課題】      リ−ルの着脱性が向上し握持時の操作性が向上したリ−ル脚固定装置を提供することである。【解決手段】  リ−ル脚固定装置はリ−ル脚固定本体１とリ−ル脚固定本体１の前側外周に嵌挿される移動フ−ド３とで構成され、移動フ−ド３は軸線方向の前後に移動可能に構成され、移動フ−ド３は金属製のカバ−部４と合成樹脂製の保持部５で構成されてカバ−部４には移動フ−ド部４ａとナット部４ｂが連接して一体に形成され、カバ−部４の外形は筒部ａと急な傾斜面ｂと緩い傾斜面ｃで移動フ−ド部４ａの外形状が形成され、緩い傾斜面ｃに隣接して周溝ｄを介して外周に凹凸の滑り止めｅを設けたナット部４ｂが形成されている。  筒部ａと急な傾斜面ｂと緩い傾斜面ｃの外周面は摩擦抵抗の少ない滑面で形成されている。【選択図】        図２
2006333723.tif 000002
【特許請求の範囲】
【請求項１】
前後に対向して配置され、リ−ルの脚を受け入れる開口を有する一対のフ−ド部を有し、該一対のフ−ド部のうち、少なくとも一方のフ−ド部が移動式であり、該移動フ−ド部は該移動フ−ド部に連接されたナット部と共に回動によって前後に移動可能に構成されており、リ−ルの脚を受け入れる移動フ−ド部の外径よりもナット部の外径が小径に形成され、該ナット部の外周には少なくとも滑り止めが設けられていることを特徴とするリ−ル脚固定装置。
【請求項２】
前記移動フ−ド部とナット部は一体に形成されていることを特徴とする請求項１記載のリ−ル脚固定装置。
【請求項３】
前記移動フ−ド部の軸長方向長さは該移動フ−ド部の最大外径よりも小さいことを特徴とする請求項１、２記載のリ−ル脚固定装置。
【請求項４】
前記移動フ−ド部とナット部の境界部の移動フ−ド部側は傾斜面に形成されていることを特徴とする請求項１〜３記載のリ−ル脚固定装置。
【請求項５】
前記移動フ−ド部の外周面の摩擦抵抗はナット部の外周面より小さいことを特徴とする請求項１〜４記載のリ−ル脚固定装置。
【発明の詳細な説明】
【技術分野】
【０００１】
本発明は、竿管の外周に固定したリ−ル脚固定装置の改良に関する。
【背景技術】
【０００２】
従来竿管の外周にリ−ル脚固定装置が固定され、このリ−ル脚固定装置の固定フ−ドと移動フ−ドでリ−ル脚が着脱自在に装着されている。
移動フ−ドにはナット部の外周前側に握持用のコルク製や柔軟性部材の握り部を設けた移動フ−ドもある。
しかし、握持用のコルク製や柔軟性部材の握り部を設けた移動フ−ドでは、ナット部の外周の握り部の外径が大きくなりやすく、ナット部を締め付ける時、手の指とリ−ル本体が当接して締め付け難く、リ−ルの着脱性に欠点がある場合がある。
また、通常の握り部は外周面がなだらかになっており、手の指で握っても軸長方向に力を働かせ難い。
下記特許文献１にはナット部の外周面がなだらかなナット部が記載されている。
【特許文献１】実開平３−５０８６３号公報
【発明の開示】
【発明が解決しようとする課題】
【０００３】
解決しようとする課題は、ナット部を締め付ける時、手の指とリ−ル本体が当接して締め付け難く、さらに軸長方向への力を働かせることが出来ないことである。
【０００４】
本発明の目的は前記欠点に鑑み、リ−ルの着脱性が向上し握持時の操作性が向上したリ−ル脚固定装置を提供することである。
【課題を解決するための手段】
【０００５】
請求項１に係わる本発明は、前後に対向して配置され、リ−ルの脚を受け入れる開口を有する一対のフ−ド部を有し、該一対のフ−ド部のうち、少なくとも一方のフ−ド部が移動式であり、該移動フ−ド部は該移動フ−ド部に連接されたナット部と共に回動によって前後に移動可能に構成されており、リ−ルの脚を受け入れる移動フ−ド部の外径よりもナット部の外径が小径に形成され、該ナット部の外周には少なくとも滑り止めが設けられていることを要旨とするものである。
請求項２に係わる本発明は、前記移動フ−ド部とナット部は一体に形成されていることを要旨とするものである。
請求項３に係わる本発明は、前記移動フ−ド部の軸長方向長さは該移動フ−ド部の最大外径よりも小さいことを要旨とするものである。
請求項４に係わる本発明は、前記移動フ−ド部とナット部の境界部の移動フ−ド部側は傾斜面に形成されていることを要旨とするものである。
請求項５に係わる本発明は、前記移動フ−ド部の外周面の摩擦抵抗はナット部の外周面より小さいことを要旨とするものである。
【発明の効果】
【０００６】
本発明によって、リ−ルを着脱する際、ナット部が移動フ−ド部より小径に形成されている為、リ−ルを装着しナット部を摘んで着脱する際、手の指がリ−ルに当接し難く、着脱し易い。
移動フ−ド部とナット部に跨って両方に指を当接できるから、着脱する際に少ない力で着脱出来る。
部品点数が少なくコストダウンになり軽量化も図れる。
外観上、スマ−トで釣りの操作中に指が移動フ−ド部に当接してもナット部外周の滑り止めに当たらないようにリ−ルとリ−ル脚固定装置を保持出来るので緩み難い。
ナット部を締めつける際、ナット部と移動フ−ド部の急な傾斜面と緩い傾斜面に跨って指が当てられると、回転方向に加え、軸長方向にも力が働く為、確実にリ−ルを装着出来る。
移動フ−ド部の急な傾斜面と緩い傾斜面は滑面になっているので、親指を急な傾斜面と緩い傾斜面に押し当てても指が痛くならず、滑面なので移動フ−ド部に指が当接することによるリ−ル脚の締め付けが緩むことがない。
ナット部を回動して締め込む際に親指が急な傾斜面と緩い傾斜面とナット部に押し当てられるので、軸長方向に力が入れ易い。
リ−ルを装着し、握持した際に人差し指の先端が急な傾斜面と緩い傾斜面に当接して安定して握持出来る。
【発明を実施するための最良の形態】
【０００７】
リ−ル脚固定装置はリ−ル脚固定本体１とリ−ル脚固定本体１の前側外周に嵌挿される移動フ−ド３とで構成され、移動フ−ド３は軸線方向の前後に移動可能に構成されている。
リ−ル脚固定本体１は合成樹脂材で上面が平面で断面半円形状に形成され、上面の平面がリ−ル脚装着部１ａで、リ−ル脚固定本体１の後側の固定フ−ド部１ｂと、固定フ−ド部１ｂの下側に突出したトリガ−部１ｃと、固定フ−ド部１ｂのリ−ル脚挿入用開口１ｄと、リ−ル脚装着部１ａより前側の図示しない雄ネジ部とで形成されている。
移動フ−ド３は金属製のカバ−部４と合成樹脂製の保持部５で構成されてカバ−部４の内部に保持部５が回り止め嵌合されている。
カバ−部４には移動フ−ド部４ａとナット部４ｂが連接して一体に形成されている。
カバ−部４の外形は筒部ａと急な傾斜面ｂと緩い傾斜面ｃで移動フ−ド部４ａの外形状が形成され、緩い傾斜面ｃに隣接して周溝ｄを介して外周に凹凸の滑り止めｅを設けたナット部４ｂが形成されている。
図２で周溝ｄの左方を境界部αとする。
筒部ａと急な傾斜面ｂと緩い傾斜面ｃの外周面は摩擦抵抗の少ない滑面で形成されている。
カバ−部４の内形状は３段の内径の内周ｆ、ｇ、ｈと小径筒部ｉで形成されている。
保持部５の外形は３段の外径の筒部ｊ、ｋ、ｍで形成されている。
保持部５の内形状は急な傾斜面ｎと緩い傾斜面ｏと雌ネジ部ｐで形成されている。
急な傾斜面ｎと緩い傾斜面ｏでリ−ル脚挿入用開口５ａが形成されている。
カバ−部４の内周ｈには軸線方向の回り止め突起４ｃが形成され、保持部５の筒部ｍ外周に軸線方向の溝５ｂが形成されている。
移動フ−ド部４ａの外径Ｒよりナット部４ｂの外径ｒは小径に形成されている。
移動フ−ド部４ａの軸長方向長さＬは移動フ−ド部４ａの最大外径Ｒよりも小さく形成されている。
【実施例１】
【０００８】
以下、本発明を実施例で図面に基づき説明すると、図１から図６は第１実施例で、図１はリ−ル脚固定装置にリ−ルが装着されて２点鎖線の手で握持された側面図、図２は移動フ−ドの一部断面側面図、図３（ａ）は移動フ−ドのカバ−部の大径側の正面図で（ｂ）は移動フ−ドのカバ−部の一部断面側面図、図４（ａ）は移動フ−ドの保持部の一部断面側面図で（ｂ）は移動フ−ドの保持部の小径側の背面図、図５はリ−ル脚固定装置にリ−ルが装着されて移動フ−ドのナット部が２点鎖線の手の指で締め付けられる側面図、図６はリ−ル脚固定装置が２点鎖線の手で握持された平面図である。
【０００９】
リ−ル脚固定装置のリ−ル脚固定本体１は竿管２の外周に別体または一体に設けられている。
リ−ル脚固定装置はリ−ル脚固定本体１とリ−ル脚固定本体１の前側外周に嵌挿される移動フ−ド３とで構成され、移動フ−ド３は軸線方向の前後に移動可能に構成されている。
リ−ル脚固定本体１は合成樹脂材で上面が平面で断面半円形状に形成され、上面の平面がリ−ル脚装着部１ａで、リ−ル脚固定本体１の後側の固定フ−ド部１ｂと、固定フ−ド部１ｂの下側に突出したトリガ−部１ｃと、固定フ−ド部１ｂのリ−ル脚挿入用開口１ｄと、リ−ル脚装着部１ａより前側の図示しない雄ネジ部とで形成されている。
【００１０】
移動フ−ド３は金属製のカバ−部４と合成樹脂製の保持部５で構成されてカバ−部４の内部に保持部５が回り止め嵌合されている。
カバ−部４には移動フ−ド部４ａとナット部４ｂが連接して一体に形成されている。
カバ−部４の外形は筒部ａと急な傾斜面ｂと緩い傾斜面ｃで移動フ−ド部４ａの外形状が形成され、緩い傾斜面ｃに隣接して周溝ｄを介して外周に凹凸の滑り止めｅを設けたナット部４ｂが形成されている。
筒部ａと急な傾斜面ｂと緩い傾斜面ｃの外周面は摩擦抵抗の少ない滑面で形成されている。
カバ−部４の内形状は３段の内径の内周ｆ、ｇ、ｈと小径筒部ｉで形成されている。
保持部５の外形は３段の外径の筒部ｊ、ｋ、ｍで形成されている。
保持部５の内形状は急な傾斜面ｎと緩い傾斜面ｏと雌ネジ部ｐで形成されている。
急な傾斜面ｎと緩い傾斜面ｏでリ−ル脚挿入用開口５ａが形成されている。
カバ−部４の内周ｈには軸線方向の回り止め突起４ｃが形成され、保持部５の筒部ｍ外周に軸線方向の溝５ｂが形成されている。
移動フ−ド部４ａの外径Ｒよりナット部４ｂの外径ｒは小径に形成されている。
移動フ−ド部４ａの軸長方向長さＬは移動フ−ド部４ａの最大外径Ｒよりも小さく形成されている。
【００１１】
リ−ル脚固定装置にリ−ル脚６が装着される時は、リ−ル脚６がリ−ル脚装着部１ａの上に載せられて一方の脚部６ａが固定フ−ド部１ｂのリ−ル脚挿入用開口１ｄに挿入され、他方の脚部６ｂが移動フ−ド部４ａの内側のリ−ル脚挿入用開口５ａに挿入されるように移動フ−ド３が固定フ−ド部１ｂ側に後退され、図５のように親指と人差し指が移動フ−ド３の急な傾斜面ｂと緩い傾斜面ｃとナット部４ｂの外側に当てられて固定フ−ド部１ｂ側に押し込まれると共に回動されて雌ネジ部ｐがリ−ル脚装着部１ａより前側の図示しない雄ネジ部に螺合されて締め付けられる。
リ−ル脚固定装置に装着されたリ−ル７が保持される時は、図１のようにトリガ−部１ｃを挟んで固定フ−ド部１ｂ側外周が握持され、親指はリ−ル７上部に載せられ、人差し指は図１、図６のように移動フ−ド３の筒部ａと急な傾斜面ｂの上に当接されてナット部４ｂ外周の滑り止めｅに当たらないようにリ−ル７とリ−ル脚固定装置を保持出来る。
【００１２】
前記のようにリ−ル脚固定装置が構成されると、リ−ル７を着脱する際、ナット部４ｂが移動フ−ド部４ａより小径に形成されている為、リ−ル７を装着しナット部４ｂを摘んで着脱する際、手の指がリ−ル７に当接し難く、着脱し易い。
移動フ−ド部４ａとナット部４ｂに跨って両方に指を当接できるから、着脱する際に少ない力で着脱出来る。
部品点数が少なくコストダウンになり軽量化も図れる。
外観上、スマ−トで釣りの操作中に指が移動フ−ド部４ａに当接してもナット部４ｂ外周の滑り止めｅに当たらないようにリ−ル７とリ−ル脚固定装置を保持出来るので緩み難くい。
ナット部を締めつける際に、ナット部４ｂと移動フ−ド部４ａの急な傾斜面ｂと緩い傾斜面ｃに跨って指が当てられると、回転方向に加え、軸長方向にも力が働く為、確実にリ−ルを装着出来る。
移動フ−ド部４ａの急な傾斜面ｂと緩い傾斜面ｃは滑面になっているので、親指を急な傾斜面ｂと緩い傾斜面ｃに押し当てても指が痛くならず、滑面なので移動フ−ド部４ａに指が当接することによるリ−ル脚６の締め付けが緩むことがない。
ナット部４ｂを回動して締め込む際に親指が急な傾斜面ｂと緩い傾斜面ｃとナット部４ｂに押し当てられるので軸長方向に力が入れ易い。
リ−ル７を装着し、握持した際に人差し指の先端が急な傾斜面ｂと緩い傾斜面ｃに当接して安定して握持出来る。
但し前記、急な傾斜面ｂと緩い傾斜面ｃは必ずしも滑面とは限らず、手が痛くならない程度に滑り止め部を設けても良い。
又、移動フードの長さは本実施例の場合、約２５ｍｍで通常の移動フードよりも短く形成している。この長さは短すぎると摘まみ難くなり、長すぎると釣竿の操作性や機能性が低下することから２０ｍｍ〜４０ｍｍが好ましい。又、この長さ範囲内にナット部４ｂと移動フード部４ａの急な傾斜面ｂと、この境界部に急激なテーパーの変化に伴う指とフード部との間に隙間が生じ難い様に緩い傾斜面ｃを設けている。ここで、急な傾斜面ｂのテーパーは７００／１０００〜１３００／１０００の範囲が好ましく、緩い傾斜面ｃのテーパーは３００／１０００〜６００／１０００が好ましい。
【実施例２】
【００１３】
図７は第２実施例で、図７は移動フ−ドの一部断面側面図である。
【００１４】
第２実施例では、第１実施例におけるカバ−部４の外形の急な傾斜面ｂと緩い傾斜面ｃが一つの傾斜面ｑで形成されている。
他の構成は前記第１実施例と略同一である。
【実施例３】
【００１５】
図８は第３実施例で、図８（ａ）は移動フ−ドの移動フ−ド部の一部断面側面図で（ｂ）は移動フ−ドのナット部の一部断面側面図である。
【００１６】
第３実施例では、移動フ−ド３の移動フ−ド部４ａとナット部４ｂが別体に形成されている。
従って金属製のカバ−部４と合成樹脂製の保持部５も別体で形成されている。
他の構成は前記第１実施例と略同一である。
【産業上の利用可能性】
【００１７】
リ−ル脚固定装置の移動フ−ドに広く利用できる。
【図面の簡単な説明】
【００１８】
【図１】第１実施例で、リ−ル脚固定装置にリ−ルが装着されて２点鎖線の手で握持された側面図である。
【図２】同移動フ−ドの一部断面側面図である。
【図３】同（ａ）は移動フ−ドのカバ−部の大径側の正面図で（ｂ）は移動フ−ドのカバ−部の一部断面側面図である。
【図４】同（ａ）は移動フ−ドの保持部の一部断面側面図で（ｂ）は移動フ−ドの保持部の小径側の背面図である。
【図５】同リ−ル脚固定装置にリ−ルが装着されて移動フ−ドのナット部が２点鎖線の手の指で締め付けられる側面図である。
【図６】同リ−ル脚固定装置が２点鎖線の手で握持された平面図である。
【図７】第２実施例で、移動フ−ドの一部断面側面図である。
【図８】第３実施例で、（ａ）は移動フ−ドの移動フ−ド部の一部断面側面図で（ｂ）は移動フ−ドのナット部の一部断面側面図である。
【符号の説明】
【００１９】
１ｂ  固定フ−ド部
１ｄ、５ａ  リ−ル脚挿入用開口
３  移動フ−ド
４ａ  移動フ−ド部
４ｂ  ナット部
ｂ、ｃ  傾斜面
ｅ  滑り止め
【図１】
2006333723.tif 000003
【図２】
2006333723.tif 000004
【図３】
2006333723.tif 000005
【図４】
2006333723.tif 000006
【図５】
2006333723.tif 000007
【図６】
2006333723.tif 000008
【図７】
2006333723.tif 000009
【図８】
2006333723.tif 000010